【事件の表示】
　平成　６年特許願第２９９５７８号「タッチパネル入力装置」拒絶査定に対する審判事件［平成　７年　７月　４日出願公開、特開平　７−１６８６６９］について、次のとおり審決する。
【結　論】
　本件審判の請求は、成り立たない。
【理　由】
１．手続の経緯・本願発明
　本願は、昭和５８年１２月１２日に出願した特願昭５８−２３２７０７号の一部を平成６年１２月２日に新たな特許出願としたものであって、その発明の要旨は、明細書及び図面の記載からみて、その特許請求の範囲に記載された次のとおりのものである。（以下、「本願発明」という。）
「【特許請求の範囲】
　　【請求項１】　キーを表わす文字と該文字を囲む文字枠でなるキー表示図形を表示する画像表示手段と、
　上記画像表示手段に表示されているキー表示図形へのキー入力を検出し、キー入力された位置を読取るキー入力読取り手段と、
　上記キー入力読取り手段からの入力情報を受取り、上記画像表示手段への出力画像の変更制御を行う制御手段と
を備えたタッチパネル入力装置において、
　上記画像表示手段にキー配列を示す画像が表示されている状態で上記キー入力が行われたとき、上記キー入力読取り手段から該キー入力を検出してその位置を読み取り、
　上記制御手段は、該読み取られた位置に対応する上記画像表示手段で表示されたキー表示図形の地色を変化させ、
　該キー表示図形の地色をキー押下時間に依存しない一時的な時間だけ、キー入力されなかった他のキー表示図形と異なった表示色に切り替え、
（ａ）上記キー入力読取り手段によって読み取られたキー入力を有効と判断し、
（ｂ）上記キー入力読取り手段による読み取り動作ですべてのキーが一旦オフ状態になったことを確認してから次の押下キーの読み取り動作を開始し、
（ｃ）上記キー入力読取り手段で上記オフ状態前に２以上のキー押下を判断したときそれらキー押下を無効とする制御を行うことを特徴とするタッチパネル入力装置。」
　
２．引用例
（１）これに対して、当審における平成１２年９月２９日付けで通知した拒絶の理由に引用した実願昭５２−７９０３５号（実開昭５４−６０３３号）のマイクロフィルム（以下、「引用例１」という。）には、第１、２図とともに、「第１図は電子表示デバイスとしてブラウン管を使用し、スイッチボードとして透明ボード状に接触短絡形スイッチの端子を焼き付けたものを使用した本考案に使用する入力装置の一例の側面図である。第２図は第１図の上面図である。第１図において、電子表示デバイス１の表示面１ａには第２図のように、項目４が付随する制御回路によって表示される。表示された文字は透明なスイッチボード２を通して上から見ることができる。項目の入力を行う場合は表示された項目４の中から必要なものを選びスイッチボード２の外表面２ａにあるスイッチ端子３を押す。今、入力すべき項目がＧＨＩであれば表示された項目４ａを選び、これに対応するスイッチ３ａを押すと３ａからリード線５を通じて付随する検出部によりＧＨＩの項目が入力されたことを検出し、入力確認のために一定時間の間、選択された項目４ａだけを点滅または色を変える。本考案は以上説明したように、項目表示部と、入力キーボードを一体化した入力装置において、入力された項目のみを点滅または色を変えることによって、入力確認を行うため操作者は入力装置から目を離すことなく、入力確認をすることができるため、著しく入力効率を高めることができる。」（明細書第３頁第１行目乃至第４頁第４行目）が記載されている。
（２）同じく特開昭５５−２０５２８号公報（以下、「引用例２」という。）には、入力項目の選択画像または各入力項目ごとの誘導画像を表示する画像表示部と、上記画像表示部の表面上に設置され、操作者の指がその表面に触れたときの物理的な状態変化によつて、そのタッチ位置を検知するタッチパネルと、上記タッチパネルが検知したタッチ位置の番地を電気信号として出力するアドレス発生部と、画像表示部に表示する画像信号を一時記憶するフレームメモリと、上記アドレス発生部からの信号に基づいて、別に設けられた画像フアイルからの、入力項目の選択画像および各入力項目ことの誘導画像のうちいずれの画像を上記フレームメモリに一時記憶するかを決定する制御部からなる端末装置についての発明が記載され、「制御装置８は、次に「暗証番号を押して下さい」の文言とテンキーの図形を１画面にした誘導画像（第７図参照）を画像ファイル９から読出し、これをブラウン管２０表示させる。利用客が画面中のテンキー７０に触れて暗証番号を入力すると、制御装置８は、このタッチパネルを通して入力された暗証番号とカードから読取った暗証番号を比較し、異状がなければ、「金額を押して下さい」の文言とテンキーの図形を１画面にした誘導画像（第８図参照）を画像ファイル９から読出して、これをブラウン管２０に表示させる。」（第６頁右上欄第１９行目ないし同頁左下欄第９頁）が記載され、第７図及び第８図において、キーを表わす文字と該文字を囲む文字枠でなるキー表示図形を表示する画像表示手段が、図示されている。
（３）同じく特開昭５７−７３４４８号公報（以下、「引用例３」という。）には、「本発明によれば、漢字等の表意文字を処理する装置に結合して使用され、この処理装置に表意文字を入力するための表意文字入力装置において、複数の表意文字をそれぞれ予め定められた位置に配列した文字盤と、この文字盤上で文字が選択されると、選択された文字を処理装置に入力すると共に、選択された文字に対応した位置を記憶する記憶手段と、この記憶手段に電気的に接続されると共に、文字盤に隣接して設置され、選択された文字の文字盤上の位置を視覚的に顕著にするための視覚表示手段とを有する表示文字入力装置が得られる。ここで、視覚表示手段としては、文字盤に隣接して設けられたフォトダイオードマトリクス、プラズマデイスプレイパネル、及びＣＲＴ等を使用できる。プラズマデイスプレイパネル及びＣＲＴを使用した場合、選択の頻度に応じて、各文字の位置の輝度又は色を容易に変化させることができる。」（明細書第２頁左上欄第１９行目ないし右上欄第１６行目）、「第１図、第２図、及び第３図を参照して、本発明の一実施例に係る漢字入力装置をより具体的に説明する。この実施例における漢字入力用文字盤１１はプラスチック等の透光性の板（ここでは、透明板）によって形成されており、板上には第２図に示すように、漢字がマトリクス状に配列されている。各漢字の配列位置は前述したように予め定められている。漢字入力用文字盤１１の下部には、ダイオード支持ケース１９が設置されている。ケース１９には、文字盤１１上の各漢字と１対１に対応するように、フォトダイオード２０が隔壁２１によって区画された形で配列されている。・・・このような状況の下で、上述したように、選択された文字を点灯させておけば選択文字は視覚的に顕著に非選択文字から区別できるため、以後の選択を極めて容易且つ迅速に行える。また、この実施例では、単一フリップフロップ２３をセットリセットすることにより、フォトダイオード２０の発光の有無を決定しているが、選択回数を計数するカウンタをフリップフロップ２０の代わりに設け、選択回数に応じた電流をフォトダイオード２０に流せば、選択頻度の高い漢字ほど明るくすることができる。尚、第２図に示した各区画に発光色の互いに異なるフォトダイオードを設け、各フォトダイオードを選択回数に応じて発光させるように構成すれば、選択回数を色によって表示することも可能である。」（第２頁右下欄第１４行目ないし第３頁左下欄第６行目）、「上に述べた実施例では、漢字の輝度を変化させる場合について述べたが，カラーＣＲＴデイスプレイ装置を使用する場合には、色を変化させることも可能である。」（第５頁右上欄第１０行目ないし第１３行目）が、記載されている。
　即ち、引用例３は、透明板の下の色が変わるのであるから、地色を変える技術について記載されているものと認められる。
（４）同じく特開昭５０−４６４４４号公報（以下、「引用例４」という。）には、「ライトペンで第１４行の”ＳＡＬＭＴ”と表示されているリクエスト名を指示すると、これに逆輝度変調がかけられて表示される。したがって、オペレータは自分が指示したリクエスト名が正しく選ばれたかどうかを容易に確認できる。」（第１図、第２頁左上欄第１５行目ないし第１９行目）が記載されている。
（５）同じく特開昭５８−２００３３６号公報（以下、「引用例５」という。）には、「ディスプレイ画面に座標検出面を重ねた透視型タッチ入力装置において、前記ディスプレイ画面上の指等によってタッチ指示された座標位置を、前記座標検出面で検出させると共に前記検出された座標位置情報を一時記憶する一時記憶手段とこの一時記憶手段の座標位置情報に基づいてディスプレイ画面上にその座標位置情報に対応する位置に入力位置を示すシンボル表示を行わせる表示制御回路とを備え、・・・座標入力方式。」（第１頁左下欄第１５行目ないし右下欄第１２行目）、「一方、上記計算機３はＣＲＴ制御装置も含むものとして説明すると、座標入力制御装置２より送られて来た入力データによって、計算機３は対応するＣＲＴ上の位置を短時間（例えば０．４秒）、操作者が入力位置を確認できるように、表示する。」（第２頁左下欄第１２行目ないし第１６行目）が記載されている。
（６）同じく特開昭５５−９２９２０号公報（以下、「引用例６」という。）には、「（３）多重打鍵禁止方式　第１図（ハ）に示す如く、複数のキー１，２を連続的に押しても最初に押したキー１に対してのみ入力１が行われるが、キー１が押されてる間に押されたキー２については、キー１が解放状態になっても入力は行われない。したがって二度目に押したキーが誤って押されたものであっても入力されることはないので、動作としてはもっとも安全なものであるが、入力速度はもっとも遅い。」（第２頁右上欄第５行目ないし１３行目）、「（１）多重打鍵禁止方式・・・上記の如くこの制御信号Ｅは、キー１が押されているときキー２（Ｋ４）を押した場合、キー１が時刻Ｔ３で解放しても、持続している。したがって時刻Ｔ以降キー２が押された状態になっても、スキャニング回路５からスキャニング・パルスＡ，Ｂ，Ｃ・・・が順次発生されることがない。したがってエンコーダ回路１０はキー２（Ｋ４）が押されたことを検出できない。そして、キー２（Ｋ４）が時刻Ｔ４で解放されたとき、キー・マトリクス回路４から単発押下信号検出回路への信号が落ちるので、制御信号Ｅも落ちる。これによりスキャニング信号制御回路９からスキャニング回路５のカウンタ５−１に対し伝達していた計数停止信号も消え、スキャニング回路５は再びスキャニング・パルスＡ，Ｂ，Ｃ・・・を発生する。このようにして多重打鍵禁止方式でキー入力を行うことができる。」（第３頁右上欄第１４行目ないし第４頁左上欄第６行目）が記載されている。
　
３．対比
　本願発明と引用例１に記載のものとを対比すると、引用例１の「ブラウン管」、「検出部」、「制御回路」は、その機能から、それぞれ、本願発明の「画像表示手段」、「キー入力された位直を読取るキー入力読取り手段」、「上記画像表示手段への出力画像の変更制御を行う制御手段」に相当すること、更に、引用例１の、「色を変えること」は、本願発明の「異なつた表示色に切り替えること」の一形態であること、引用例１に記載された「入力装置」は、その構成からみると「タッチパネル入力装置」であることを勘案すると、
　両者は、要するに、「キーを表示する画像表示手段と、画像表示手段に表示されているキーへのキー入力を検出し、キー入力された位置を読取るキー入力読取り手段と、上記キー入力読取り手段からの入力情報を受取り、上記画像表示手段への出力画像の変更制御を行う制御手段とを備えたタッチパネル入力装置において、画像表示手段にキー配列を表示させている状態で、上記キー入力が行われたとき、上記キー読取り手段から該キー入力を検出してその位置を読み取り、上記制御手段は、読み取られた位置に対応する上記画像表示手段で表示されたものに関して色を変化させ、一定時間色を変えるタッチパネル入力装置」の点で一致し、
　次の（１）ないし（４）の点で相違する。
（１）本願発明は、画像表示手段にキーを表す文字と該文字を囲む文字枠であるキー表示図形を表示するのに対して、引用例１は、キー・項目を表示する点
（２）本願発明は、キー表示図形の地色の色をキー入力されなかった他のキー表示図形と異なった表示色とするのに対して、引用例１は、キー・項目の色を変える点
（３）本願発明は、表示色を切り替える時間を、キー押下時間に依存しない一時的な時間とするのに対して、引用例１は、単に、一定時間とされている点
（４）本願発明は、（ａ）上記キー入力読取り手段によって読み取られたキー入力を有効と判断し、（ｂ）上記キー入力読取り手段による読み取り動作ですべてのキーが一旦オフ状態になったことを確認してから次の押下キーの読み取り動作を開始し、（ｃ）上記キー入力読取り手段で上記オフ状態前に２以上のキー押下を判断したときそれらキー押下を無効とするする制御を行うのに対して、引用例１は、これに関する記載がない点
　
４．当審の判断
　次に、上記相違点（１）ないし（４）について検討する。
（１）相違点（１）について
　画像表示手段にキーを表す文字と該文字を囲む文字枠であるキー表示図形を表示することは、引用例２、引用例４に記載されており、引用例１に記載された発明において、画像表示手段にキー・項目を表示することに代え、画像表示手段にキーを表す文字と該文字を囲む文字枠であるキー表示図形を表示することに格別困難性は認められないから、この点は、当業者が容易に推考をすることができたものである。
（２）相違点（２）について
　本願発明、引用例１と同一技術分野に属する引用例３に、表示文字の背景の地色を変えることが記載されており、地色を変えることは他と識別するためであり、他のキーの地色と異ならせることは技術常識であるから、引用例１において、引用例３に記載された事項を採用して、キーの地色の色をキー入力されなかった他のキーと異なった表示色とすることは、当業者が容易に推考することができたものである。
（３）相違点（３）について
　本願発明、引用例１と同一技術分野に属する引用例５に、キーを押すと短時間（例えば０．４秒）、即ち、キー押下時間に依存しない一時的な時間操作者が入力位置を確認できるように表示することが記載されており、引用例１の「一定時間表示すること」に代えて、表示色を切り替える時間を、キー押下時間に依存しない一時的な時間とすることを採用することに格別困難性は認められないから、この点は当業者が容易に推考をすることができたものである。
（４）相違点（４）について
　キー入力読取り手段によって読み取られたキー入力を有効と判断し、キー入力読取り手段による読み取り動作ですべてのキーが一旦オフ状態になったことを確認してから次の押下キーの読み取り動作を開始する制御を行うことは、多重打鍵禁止方式として刊行物６に記載された事項に見られるようにキー入力制御技術での慣用手段であり、また、キー入力読取り手段でオフ状態前に２以上のキー押下を判断したときそれらキー押下を無効とする制御を行うことは、キー入力装置においては周知な手段であり（例えば、特開昭５６−１５３４３１号公報、特開昭５５−６７８３０合公報参照）、引用例１に記載された発明において、これら、キー入力制御技術での慣用手段及び周知な手段を併せて採用することに格別困難性は認められないから、この点は当業者が容易に推考することができたものである。                       　　
５．むすび
　以上のとおりであるから、本願発明は、引用例１ないし６に記載された発明及び周知な手段に基いて、当業者が容易に発明をすることができたものであるから、特許法第２９条第２項の規定により、特許を受けることができない。
　よって、結論のとおり審決する。